(57)【要約】【課題】  デザインの自由度を上げると共に、筐体内部の空間を基板等の設計により広く利用できる折りたたみ式携帯無線機器を得る。【解決手段】  表示部を設けた第１筐体１と、操作部を設けた第２筐体２と、これらの筐体を折りたたみ可能な状態で連結するヒンジ部３と、第２筐体２に筐体面から突出して形成したアンテナ収納部９を備える折りたたみ式携帯無線機器において、第２筐体２を台に載置したときにぐらつき又は転倒しないように、アンテナ収納部９と相対する位置に、アンテナ収納部９の第２筐体２の筐体面からの突出高さに対応した第２筐体２の筐体面からの突出高さを有するストラップ取付部１０を設けた。【選択図】図１
2005123899.tif 000002
【特許請求の範囲】
【請求項１】
表示部を設けた第１筐体と、操作部を設けた第２筐体と、これらの筐体を折りたたみ可能な状態で連結するヒンジ部と、上記第２筐体に筐体面から突出して形成したアンテナ収納部を備える折りたたみ式携帯無線機器において、上記第２筐体を台に載置したときにぐらつき又は転倒しないように、上記アンテナ収納部と相対する位置に、上記アンテナ収納部の上記第２筐体の筐体面からの突出高さに対応した上記第２筐体の筐体面からの突出高さを有するストラップ取付部を設けたことを特徴とする折りたたみ式携帯無線機器。
【請求項２】
上記アンテナ収納部と相対して上記ストラップ取付部が設けられる位置は、上記第２筐体を台に載置したとき、上記アンテナ収納部の接地部と上記ストラップ取付部が設けられる位置と上記第２筐体の接地部とで囲む矩形内に、折りたたみ式携帯無線機器の重心位置がくるような位置であることを特徴とする請求項１記載の折りたたみ式携帯無線機器。
【請求項３】
表示部を設けた第１筐体と、操作部を設けた第２筐体と、これらの筐体を折りたたみ可能な状態で連結するヒンジ部と、上記第２筐体に筐体面から突出して形成したアンテナ収納部を備える折りたたみ式携帯無線機器において、上記アンテナ収納部を下にして上記第２筐体を台に載置したときにぐらつき又は転倒しないように、上記アンテナ収納部を設けた一端部側縁と相対する一端部反側縁に、上記アンテナ収納部の上記第２筐体の筐体面からの突出高さに対応した上記第２筐体の筐体面からの突出高さを有する脚兼用ストラップ取付部を設けたことを特徴とする折りたたみ式携帯無線機器。
【請求項４】
上記アンテナ収納部の上記第２筐体の筐体面からの突出高さに対応した上記ストラップ取付部の上記第２筐体の筐体面からの突出高さは、ストラップを上記ストラップ取付部に取付けた状態で安定する高さであることを特徴とする請求項１〜請求項３のいずれか１項記載の折りたたみ式携帯無線機器。
【発明の詳細な説明】
【技術分野】
【０００１】
この発明は、折りたたみ構造を有する携帯無線機器に関し、特にその携帯無線機器を台に載置したときのぐらつき又は転倒防止に係わるものである。
【背景技術】
【０００２】
図５は従来の折りたたみ式携帯無線機器を示す斜視図、図６は図５の折りたたみ式携帯無線機器における第２筐体の背面の正面図、図７は図５の折りたたみ式携帯無線機器を閉じて台に載置した状態を示す側面図である。折りたたみ式携帯無線機器は、上側筐体を構成する第１の筐体１と、下側筐体を構成する第２筐体２と、これら第１筐体１と第２筐体２を回動可能に連結するヒンジ部３とカメラ４とを備えている。第１筐体１には、その表面（図５では第１筐体１のうつ伏せ面）に、表示部５を備えている。
【０００３】
第２筐体２には、その表面（図２では第２筐体２のうつ伏せ面）に、操作部７を設けている。また、第２筐体２には、第１筐体１と連結されている一端部から引出入可能な棒状アンテナ８が備えられている。このアンテナ８は、第２筐体２の背面の側縁で、第１筐体１と連結されている一端部に形成され、斜めに迫り上がる半円筒状のアンテナ収納部９に収納されている。図５で、第２筐体２の裏面を机などの水平な作業台２６に置いて、操作部７を上向きにしたとき、第２筐体２が左右又は前後にぐらつき又は転倒しないように、アンテナ収納部９の形成された側縁と反対の側縁で、第１筐体１と連結されている一端部に、脚２１が背面から突出して形成されている。このとき、アンテナ収納部９と脚２１は、第２筐体２の背面からの突出端の高さが同一になるように形成されている。なお、同様な折りたたみ式携帯無線機器は特許文献１に記載されている。
【０００４】
１１はアンテナ収納部９の突出端を規制するための豆突起である。ストラップ取付部２２は、第２筐体２の第１筐体１と連結されている一端に形成されている。ストラップ取付部２２は、筐体の内部に及ぶ透孔２３を設けて、ストラップを通す構造になっている。
【０００５】
【特許文献１】特開２００３−８７１６号公報
【発明の開示】
【発明が解決しようとする課題】
【０００６】
従来の折りたたみ式携帯無線機器では、一端部側縁に設けたアンテナ収納部に相対する一端部反端縁に突出した脚２１を設ける必要があり、デザインの自由度を小さくしていた。
さらに、ストラップ取付部が第２筐体２の第１筐体１と連結されている一端に形成されているため、ストラップ取付部２２の根元の透孔２３が筐体内部の空間に食い込み、筐体内部の空間を基板等の設計に利用することができないという問題点があった。
この発明は、上記のような問題点を解消するためになされたもので、デザインの自由度を上げると共に、筐体内部の空間を基板等の設計に利用できるようにしようとするものである。
【課題を解決するための手段】
【０００７】
この発明に係わる折りたたみ式携帯無線機器は、表示部を設けた第１筐体と、操作部を設けた第２筐体と、これらの筐体を折りたたみ可能な状態で連結するヒンジ部と、上記第２筐体に筐体面から突出して形成したアンテナ収納部を備える折りたたみ式携帯無線機器において、上記第２筐体を台に載置したときにぐらつき又は転倒しないように、上記アンテナ収納部と相対する位置に、上記アンテナ収納部の上記第２筐体の筐体面からの突出高さに対応した上記第２筐体の筐体面からの突出高さを有するストラップ取付部を設けたものである。
【発明の効果】
【０００８】
この発明の折りたたみ式携帯無線機器によれば、デザインの自由度を上げると共に、筐体内部の空間をより広く基板等の設計に利用できる。
【発明を実施するための最良の形態】
【０００９】
実施の形態１．
図１はこの発明の実施の形態１である折りたたみ式携帯無線機器を示す斜視図、図２は図１の折りたたみ式携帯無線機器における第２筐体の背面の正面図、図３は図１の折りたたみ式携帯無線機器を閉じて台に載置した状態を示す側面図である。折りたたみ式携帯無線機器は、概略構成として、上側筐体を構成する第１の筐体１と、下側筐体を構成する第２筐体２と、これら第１筐体１と第２筐体２を回動可能に連結するヒンジ部３とカメラ４とを備えている。第１筐体１には、その表面（図１では第１筐体１のうつ伏せ面）に、液晶表示画面を用いたメイン表示部５を備えており、例えば文字や図形などの入力情報又は受信情報を表示したり、撮像画像を表示したり、通信相手からの撮像画像を表示したりする。６はサブ表示部である。
【００１０】
第２筐体２には、その表面（図１では第２筐体２のうつ伏せ面）に、各種のキーボタンを配置した操作部７を設けている。また、第２筐体２には、第１筐体１と連結されている一端から引出入可能な棒状アンテナ８が備えられている。このアンテナ８は、第２筐体２の背面の側縁で、第１筐体１と連結されている一端部に形成され、斜めに迫り上がる半円筒状のアンテナ収納部９に収納されており、アンテナの使用時には、アンテナ８をこのアンテナ収納部９の延長方向に向けて引き出すようになっている。ストラップ取付部１０は、第２筐体２の背面で、アンテナ収納部９の形成された側縁と反対の側縁で、第１筐体１と連結されている一端部に、背面から突出して形成されている。
【００１１】
このとき、第２筐体２の裏面を机などの水平な作業台２６に置いて、操作部７を上向きにしたとき、第２筐体２が左右又は前後（第１筐体１を開いた状態又は閉じた状態での第２筐体２の前後）にぐらつかないように、アンテナ収納部９とストラップ取付部１０は、第２筐体２の背面からの突出端の高さが同一になるように形成されている。なお、１１はアンテナ収納部９の突出端を規制するための豆突起である。
図３は第１筐体１を閉じ、第２筐体２を作業台２６に載置した状態を示している。アンテナ収納部９とストラップ取付部１０は、第２筐体２の背面からの突出端の高さが同一になるように形成されているため、折りたたみ式携帯無線機器を作業台２６に置くと、水平にすることができる。図３の場合は、一端部を他端部（下端部）より幾分上げて傾斜させて、操作部を扱いやすくしている。
また、アンテナ収納部の上記第２筐体の筐体面からの突出高さに対応した上記ストラップ取付部の上記第２筐体の筐体面からの突出高さは、ストラップを上記ストラップ取付部に取付けた状態で安定（ストラップを取付けない状態では若干低く）して水平になる高さに形成するようにしても良い。
【００１２】
ストラップ取付部１０はストラップ取付け用に所定の高さを必要とするが、ストラップ取付部１０を、第２筐体２の背面から所定の高さほど突出させることにより、ストラップ取付部１０の根元の透孔２５（ストラップを通す孔）は、第２筐体２の内部への食い込み深さが浅くなり、又は、食い込み深さがなくなり、第２筐体２内部の空間を基板等の基本設計に広く有効利用できるようになる。ストラップ取付部１０は、アンテナ収納部９の突出端と釣合う脚の役目を果たしており、脚を兼用したものであり、デザインの自由度を大きくしている。
【００１３】
図４は実施の形態１のストラップ取付部の位置を説明する図である。折りたたみ式携帯無線機器の第２筐体２の背面３１を模写的に示している。第２筐体２の背面側を作業台２６に載置したとき、アンテナ収納部９の接地部３２（アンテナ収納部９が作業台２６に接する位置）を黒丸で示し、ストラップ取付部１０が設けられる位置３３を傾斜線丸で示し、第２筐体２の接地部３４（第２筐体２が作業台２６に接する位置）を白丸で示している。ストラップ取付部１０が設けられる位置３３は、アンテナ収納部９の接地部３２とストラップ取付部１０の位置３３と第２筐体２の接地部３４とで囲む矩形３５内に、折りたたみ式携帯無線機器の重心位置３６がくるような位置に設けるとよい。このような位置に、ストラップ取付部１０の位置３３を設けると、第２筐体２が左右又は前後にぐらつかないようにすることができる。
【産業上の利用可能性】
【００１４】
この発明は折りたたみ式携帯無線機器に適用して好適である。
【図面の簡単な説明】
【００１５】
【図１】この発明の実施の形態１である折りたたみ式携帯無線機器を示す斜視図である。
【図２】図１の折りたたみ式携帯無線機器における第２筐体の背面の正面図である。
【図３】図１の折りたたみ式携帯無線機器を閉じて台に載置した状態を示す側面図である。
【図４】実施の形態１のストラップ取付部の位置を説明する図である。
【図５】従来の折りたたみ式携帯無線機器を示す斜視図である。
【図６】図５の折りたたみ式携帯無線機器における第２筐体の背面の正面図である。
【図７】図５の折りたたみ式携帯無線機器を閉じて台に載置した状態を示す側面図である。
【符号の説明】
【００１６】
１  第１筐体                            ２  第２筐体
３    ヒンジ部                          ４  カメラ
５  メイン表示部                        ６  サブ表示部
７  操作部                              ８  棒状アンテナ
９  アンテナ収納部                    １０  ストラップ取付部
１１  豆突起                            ２１  脚
２２  ストラップ取付部                  ２３  透孔
２５  透孔                              ２６  作業台
３１  第２筐体の背面。
【図１】
2005123899.tif 000003
【図２】
2005123899.tif 000004
【図３】
2005123899.tif 000005
【図４】
2005123899.tif 000006
【図５】
2005123899.tif 000007
【図６】
2005123899.tif 000008
【図７】
2005123899.tif 000009